(57)【要約】【課題】ソール幅を広げると共に軽量化したゴルフクラブヘッドを提供すること。【解決手段】本ゴルフクラブヘッドは、フェース部と、ソール部と、バック部と、キャビティ部と、ホゼル部と、を含むゴルフクラブヘッドであって、前記バック部は、少なくとも前記フェース部のトップブレードと、前記ソール部のトレーリングエッジに接続しており、前記キャビティ部は、前記フェース部と前記ソール部と前記バック部に囲まれ、トウ側に開口部分を持ち、前記ソール部は、前記ホゼル部のシャフトが挿入される穴の中心軸と前記ソール部との交わる点である前記ソール部のヒール端と、前記ソール部と前記フェース部とが接続する領域の中で最もトウ側である前記ソール部のフェース側トウ端と、前記ソール部のトレーリングエッジのトウ側に位置する前記ソール部のバック側トウ端の３点を頂点とした三角形状に形成されている。【選択図】図２
2019097782.tif 000002
【特許請求の範囲】
【請求項１】
フェース部と、ソール部と、バック部と、キャビティ部と、ホゼル部と、を含むゴルフクラブヘッドであって、
前記バック部は、少なくとも前記フェース部のトップブレードと、前記ソール部のトレーリングエッジに接続しており、
前記キャビティ部は、前記フェース部と前記ソール部と前記バック部に囲まれ、トウ側に開口部分を持ち、
前記ソール部は、前記ホゼル部のシャフトが挿入される穴の中心軸と前記ソール部との交わる点である前記ソール部のヒール端と、前記ソール部と前記フェース部とが接続する領域の中で最もトウ側である前記ソール部のフェース側トウ端と、前記ソール部のトレーリングエッジのトウ側に位置する前記ソール部のバック側トウ端の３点を頂点とした三角形状に形成されていることを特徴とするゴルフクラブヘッド。
【請求項２】
前記ゴルフクラブヘッドを地平面に基準のライ角及び基準のロフト角通りに接地したときに、上方からの前記ソール部の投影が前記フェース部に完全に隠れることを特徴とする請求項１に記載のゴルフクラブヘッド。
【請求項３】
前記ゴルフクラブヘッドを地平面に基準のライ角及び基準のロフト角通りに接地したときに、少なくとも前記ソール部の投影が前記フェース部からはみ出す部分をフェースと異なる色にしていることを特徴とする請求項１に記載のゴルフクラブヘッド。
【請求項４】
前記キャビティ部のフェース−バック方向における断面積は、トウ側で最大となり、ヒール側に向かうにつれて徐々に減少することを特徴とする請求項１乃至３の何れか一項に記載のゴルフクラブヘッド。
【請求項５】
前記バック部は、バック部のヒール端と、バック部のソール側トウ端と、バック部のフェース側トウ端の３点を頂点とした三角形状に形成されていることを特徴とする請求項１乃至４の何れか一項に記載のゴルフクラブヘッド。
【請求項６】
前記フェース部と前記ソール部と前記バック部の中で肉厚が最も薄くなる箇所は、前記ソール部に設けられていることを特徴とする請求項１乃至５の何れか一項に記載のゴルフクラブヘッド。
【請求項７】
前記フェース部と前記ソール部と前記バック部の中で肉厚が最も薄くなる箇所は、前記バック部に設けられていることを特徴とする請求項１乃至５の何れか一項に記載のゴルフクラブヘッド。
【請求項８】
前記ゴルフクラブヘッドを地平面に基準のライ角及び基準のロフト角通りに接地し、
リーディングエッジを通り前記地平面と垂直かつトップ−ソール方向に伸びる第１の直線と、前記キャビティ部のバック側開口端を通り前記地平面と垂直かつトップ−ソール方向に伸びる第２の直線と、を規定し、
前記フェース部のフェース−バック方向における最大投影長さを１としたときに、
前記第１の直線から前記第２の直線までのフェース−バック方向の長さが０．７５以上であることを特徴とする請求項１に記載のゴルフクラブヘッド。
【発明の詳細な説明】
【技術分野】
【０００１】
本発明は、ゴルフクラブヘッドに関する。
【背景技術】
【０００２】
従来のゴルフクラブヘッドにおいて、例えばキャビティバックアイアン等で中空構造にすることで、軽量化を図ると共にソール幅を広げる試みがなされていた。しかし、ソール幅を更に広げると共に軽量化を図ることは困難であった。
【先行技術文献】
【特許文献】
【０００３】
【特許文献１】特許第３６５８２９３号
【特許文献２】特許第３１７２１１６号
【特許文献３】意匠登録第１５３５９８８号
【特許文献４】特許第４６３０５６６号
【特許文献５】特開平０７−２５５８８３号公報
【発明の概要】
【発明が解決しようとする課題】
【０００４】
本発明は、ソール幅を広げると共に軽量化したゴルフクラブヘッドを提供することを目的とする。
【課題を解決するための手段】
【０００５】
本ゴルフクラブヘッドは、フェース部と、ソール部と、バック部と、キャビティ部と、ホゼル部と、を含むゴルフクラブヘッドであって、前記バック部は、少なくとも前記フェース部のトップブレードと、前記ソール部のトレーリングエッジに接続しており、前記キャビティ部は、前記フェース部と前記ソール部と前記バック部に囲まれ、トウ側に開口部分を持ち、前記ソール部は、前記ホゼル部のシャフトが挿入される穴の中心軸と前記ソール部との交わる点である前記ソール部のヒール端と、前記ソール部と前記フェース部とが接続する領域の中で最もトウ側である前記ソール部のフェース側トウ端と、前記ソール部のトレーリングエッジのトウ側に位置する前記ソール部のバック側トウ端の３点を頂点とした三角形状に形成されていることを要件とする。
【発明の効果】
【０００６】
開示の技術によれば、ソール幅を広げると共に軽量化したゴルフクラブヘッドを提供できる。
【図面の簡単な説明】
【０００７】
【図１】本実施の形態に係るゴルフクラブヘッド１を例示する正面図である。
【図２】本実施の形態に係るゴルフクラブヘッド１を例示する背面図である。
【図３】本実施の形態に係るゴルフクラブヘッド１を例示する平面図である。
【図４】本実施の形態に係るゴルフクラブヘッド１を例示する底面図である。
【図５】本実施の形態に係るゴルフクラブヘッド１を例示する左側面図である。
【図６】本実施の形態に係るゴルフクラブヘッド１を例示する右側面図である。
【図７】本実施の形態に係るゴルフクラブヘッド１の背面側を例示する図（その１）である。
【図８】本実施の形態に係るゴルフクラブヘッド１の背面側を例示する図（その２）である。
【図９】本実施の形態に係るゴルフクラブヘッド１のソール部の形状を説明する図である。
【図１０】本実施の形態に係るゴルフクラブヘッド１のバック部の形状を説明する図である。
【図１１】本実施の形態に係るゴルフクラブヘッド１のキャビティ部の形状を説明する図である。
【図１２】本実施の形態の変形例に係るゴルフクラブヘッド１Ａを例示する平面図である。
【発明を実施するための形態】
【０００８】
以下、図面を参照して、実施の形態の説明を行う。なお、各図面において、同一構成部分には同一符号を付し、重複した説明を省略する場合がある。
【０００９】
図１は、本実施の形態に係るゴルフクラブヘッド１を例示する正面図である。図２は、本実施の形態に係るゴルフクラブヘッド１を例示する背面図である。図３は、本実施の形態に係るゴルフクラブヘッド１を例示する平面図である。図４は、本実施の形態に係るゴルフクラブヘッド１を例示する底面図である。図５は、本実施の形態に係るゴルフクラブヘッド１を例示する左側面図である。図６は、本実施の形態に係るゴルフクラブヘッド１を例示する右側面図である。
【００１０】
図１〜図６では、ゴルフクラブヘッド１をフェース面１０ｆ側から視た図を正面図としており、図１では、ゴルフクラブヘッド１を地平面に基準のライ角及び基準のロフト角通りに接地した場合を図示している。また、矢印ｄ１はトウ−ヒール方向（左右方向）を、矢印ｄ２はトップ−ソール方向（上下方向）を、矢印ｄ３はフェース−バック方向（前後方向）を示している。
【００１１】
図１〜図６に示すゴルフクラブヘッド１は、アイアン型のゴルフクラブヘッドであり、フェース部１０と、ソール部２０と、バック部３０と、ホゼル部４０とを有する。ゴルフクラブヘッド１は、例えば、チタン合金、チタン、軟鉄、ステンレス、アルミニウム合金等の金属材料を用いて形成することができる。なお、ゴルフクラブヘッド１を構成する各部において、フェース側の面を表面、バック側の面を背面と称する場合がある。
【００１２】
フェース部１０は、打撃面となるフェース面１０ｆを備えている。なお、フェース部１０は所定の厚みを有しており、フェース面１０ｆはフェース部１０の表面をなしている。フェース面１０ｆには、トウ−ヒール方向を長手方向とする複数のスコアライン１０ｓ（フェース面１０ｆから窪む溝）が、所定間隔でトップ−ソール方向に配列されている。
【００１３】
ソール部２０は、ゴルフクラブヘッド１の底部を形成する部分である。バック部３０は、フェース部１０とソール部２０とを繋ぐ部分である。ホゼル部４０は、ゴルフクラブヘッド１がシャフトと連結する部分である。
【００１４】
図７は、本実施の形態に係るゴルフクラブヘッド１の背面側を例示する図（その１）である。図８は、本実施の形態に係るゴルフクラブヘッド１の背面側を例示する図（その２）である。図９は、本実施の形態に係るゴルフクラブヘッド１のソール部の形状を説明する図である。図１０は、本実施の形態に係るゴルフクラブヘッド１のバック部の形状を説明する図である。
【００１５】
図１〜図６に加え図７〜図１０を参照しながら、ゴルフクラブヘッド１を構成する各部について詳説する。
【００１６】
ソール部２０は、ホゼル部４０のシャフトが挿入される穴の中心軸Ｌ１とソール部２０の交わる点であるソール部２０のヒール端２０Ｐ１と、ソール部２０とフェース部１０とが接続する領域の中で最もトウ側であるソール部２０のフェース側トウ端２０Ｐ２と、ソールのバック側端２０Ｐ３の３点を頂点とした三角形状に形成されている。
【００１７】
バック部３０は、少なくとも部分的にフェース部１０の上端のトップブレード１０ｔと、ソール部２０のトレーリングエッジ２０ｔに接続している。バック部３０は、フェース部１０の上端のトップブレード１０ｔからフェース部１０の背面のリーディングエッジ１０ｌ側に延在しても構わない。
【００１８】
バック部３０は、バック部３０とソール部２０とが接続する領域の中で最もヒール側であるバック部３０のヒール端３０Ｐ１と、バック部３０とソール部２０とが接続する領域の中で最もソール側かつトウ側であるバック部３０のソール側トウ端３０Ｐ２と、バック部３０とフェース部１０とが接続する領域の中で最もトウ側であるバック部３０のフェース側トウ端３０Ｐ３の３点を頂点とした三角形状に形成されている。
【００１９】
なお、本願で言う三角形状とは、対象物が完全な三角形の場合のみでなく、概ね三角形の場合も含む。概ね三角形の場合とは、底辺と２つの斜辺を有する形状であって、例えば、三角形の３つの頂点の一部または全部が面取りされたり丸みを帯びたりする場合や、底辺と２つの斜辺の一部または全部が曲線であったり直線と曲線の混在であったりする場合である。
【００２０】
ゴルフクラブヘッド１は、バック部３０を設けることで、バック部３０がソール部２０の補強として働くので、ソール部２０の肉厚を薄くすることが可能となり、打球時のソール部２０の不要な振動を抑え、打感及び打音を向上できる。
【００２１】
なお、ゴルフクラブヘッド１において、フェース部１０とソール部２０とバック部３０の中で肉厚が最も薄くなる箇所は、ソール部２０に設けられている。これにより、ソール部２０を軽量化してゴルフクラブヘッド１の重心を高くし、このヘッドで打球したときのゴルフボールのバックスピン量を増やすことができる。
【００２２】
なお、逆に、ゴルフクラブヘッド１の重心を低くしたい場合はソール部２０の肉厚を厚くすることもできるし、ソール部２０の肉厚を厚くする代わりにバック部３０の肉厚を薄くすることもできる。すなわち、フェース部１０とソール部２０とバック部３０の中で肉厚が最も薄くなる箇所は、バック部３０に設けられてもよい。
【００２３】
フェース部１０とソール部２０とバック部３０とでキャビティ部５０を形成している。キャビティ部５０は、フェース部１０とソール部２０とバック部３０とに囲まれた中空形状（空間）であり、トウ側に三角形状の開口部分を有している。
【００２４】
キャビティ部５０のフェース−バック方向における断面積は、トウ側で最大となり、ヒール側に向かうにつれて徐々に減少する。このようにすることで、アドレス時にソール部２０がフェース部１０の陰にできるだけ隠れるようにできると共に、ソール部２０のフェース−バック方向の幅を広げることができる。なお、キャビティ部５０のフェース−バック方向における断面積とは、キャビティ部５０をフェース−バック方向に切断した面においてフェース部１０とソール部２０とバック部３０に囲まれた空間部分の面積である。
【００２５】
図１１は、本実施の形態に係るゴルフクラブヘッド１のキャビティ部の形状を説明する図であり、ゴルフクラブヘッド１を地平面Ｈ（地面に相当）に基準のライ角及び基準のロフト角通りに接地した場合を図示している。
【００２６】
図１１において、リーディングエッジ１０ｌを通り、地平面と垂直かつトップ−ソール方向に伸びる直線Ｌ２と、ソール部２０のバック側端２０Ｐ３を通り、地平面Ｈと垂直かつトップ−ソール方向に伸びる直線Ｌ３とを規定する。このとき、フェース部１０のフェース−バック方向における最大投影長さＬ４を１としたときに、直線Ｌ２から直線Ｌ３までのフェース−バック方向の長さＬ５（リーディングエッジ１０ｌからソール部２０のバック側端２０Ｐ３までのフェース−バック方向の長さ）が０．７５以上である。すなわち、ゴルフクラブヘッド１では、フェース−バック方向の幅が広いソール部２０を実現している。
【００２７】
図３に示すように、ゴルフクラブヘッド１を地平面に基準のライ角及び基準のロフト角通りに接地したときに、上方からのソール部２０の投影がフェース部１０からはみ出す場合がある。この場合、少なくともソール部２０の投影がフェース部１０からはみ出す部分（図３において梨地模様で示した部分）を黒色系の色で塗装することが好ましい。ここで、黒色系の色とは、黒色の他に、濃褐色、濃赤色、濃緑色、波音色、濃紫色等の黒色に類似する濃色も含む。また、これらの混色であってもよいし、元々フェース部１０が黒色の場合はフェース部１０からはみ出す部分を黒色とは異なる色で塗装してもよい。
【００２８】
少なくともソール部２０の投影がフェース部１０からはみ出す部分をフェースの色と異なる色にすることにより、アドレス時にゴルフクラブヘッド１の使用者からソール部２０（トレーリングエッジ）を見え難くすることが可能となる。その結果、従来のアイアンフェースの見た目に近づけることが可能となるため、ゴルフクラブヘッド１の使用者に違和感を与えないようにすることができる。
【００２９】
図１２は、本実施の形態の変形例に係るゴルフクラブヘッド１Ａを例示する平面図である。図１２に示すように、ゴルフクラブヘッド１Ａを地平面Ｈに基準のライ角及び基準のロフト角通りに接地したときに、上方からのソール部２０の投影がフェース部１０に完全に隠れるようにしてもよい。図３の形態と図１２の形態の何れにするかは、要求仕様に応じて適宜決定することができる。例えば、図３の形態と図１２の形態の何れにするかは、ゴルフクラブヘッド１の番手（ロフト角）や、アドレス時のフェースの投影形状によって変えることができる。
【００３０】
以上に説明した本実施の形態に係るゴルフクラブヘッド（ゴルフクラブヘッド１及び１Ａ）では、アドレス時に安定性や安心感があり、打ち損じのイメージが生じ難くなる。また、ソール部２０及びバック部３０のフェース−バック方向の幅が広がり、ゴルフクラブヘッド１でゴルフボールを打撃するときに、ゴルフクラブヘッド１及び１Ａのリーディングエッジ１０ｌが地面に刺さりにくくなり、ソール部２０が地平面上を滑りやすくなる。
【００３１】
また、ゴルフクラブヘッド１及び１Ａでは、ソール部２０のトウ側をなくすと共に、キャビティ部５０を中空形状にしている。これにより、ソール部２０のフェース−バック方向の幅を増やしてフェース投影面積を広くした場合でも、ゴルフクラブヘッド１及び１Ａの重量増加を抑えることができる。
【００３２】
以上、好ましい実施の形態について詳説したが、上述した実施の形態に制限されることはなく、特許請求の範囲に記載された範囲を逸脱することなく、上述した実施の形態に種々の変形及び置換を加えることができる。
【符号の説明】
【００３３】
１、１Ａ  ゴルフクラブヘッド
１０  フェース部
１０ｆ  フェース面
１０ｌ  リーディングエッジ
１０ｓ  スコアライン
１０ｔ  トップブレード
２０  ソール部
２０ｔ  トレーリングエッジ
３０  バック部
４０  ホゼル部
５０  キャビティ部
【図１】
2019097782.tif 000003
【図２】
2019097782.tif 000004
【図３】
2019097782.tif 000005
【図４】
2019097782.tif 000006
【図５】
2019097782.tif 000007
【図６】
2019097782.tif 000008
【図７】
2019097782.tif 000009
【図８】
2019097782.tif 000010
【図９】
2019097782.tif 000011
【図１０】
2019097782.tif 000012
【図１１】
2019097782.tif 000013
【図１２】
2019097782.tif 000014